(57)【要約】【課題】ペン先出没操作前に軸筒を把持した後、迅速にペン先出没操作に移行できる出没式筆記具を提供する。【解決手段】軸筒２内に筆記体３を軸方向に移動可能に収容し、軸筒２の側壁外面より径方向外方に操作部４を突出させ、操作部４を軸方向に移動可能に設ける。操作部４が、軸筒２側壁の軸方向に延びるスライド孔２２より径方向外方に突出される基部４１と、該基部４１に連設され且つ軸筒２側壁外面を包囲する環状部４２とからなる。環状部４２を前記軸筒２が軸方向に貫通し、軸筒２の後端部が環状部４２より後方に突出される。基部４１がスライド孔２２に沿って軸方向に移動可能であるとともに、環状部４２が軸筒２側壁外面に沿って軸方向に移動可能である。基部４１、環状部４２の何れかを前方に押圧操作することによって、筆記体３のペン先３１を軸筒２の前端孔２１から出没自在に構成する。【選択図】  図１
2015006733.tif 000002
【特許請求の範囲】
【請求項１】
軸筒内に筆記体を軸方向に移動可能に収容し、前記軸筒の側壁外面より径方向外方に操作部を突出させ、前記操作部を軸方向に移動可能に設け、前記操作部を前方にスライド操作することによって、前記筆記体をペン先没入状態からペン先突出状態にさせる出没式筆記具であって、前記操作部が、少なくとも、軸筒側壁の軸方向に延びるスライド孔より径方向外方に突出される基部と、該基部に連設され且つ軸筒側壁外面を包囲する環状部とからなり、前記環状部内を前記軸筒が軸方向に貫通し、前記軸筒の後端部が前記環状部より後方に突出され、前記基部が前記スライド孔に沿って軸方向に移動可能であるとともに、前記環状部が軸筒側壁外面に沿って軸方向に移動可能であり、前記基部、前記環状部の何れかを前方に押圧操作することによって、筆記体のペン先を軸筒の前端孔から突出可能に構成したことを特徴とする出没式筆記具。
【請求項２】
前記筆記体の内部に熱変色性インキを収容し、該筆記体のペン先より熱変色性インキを吐出可能に構成し、前記熱変色性インキの筆跡を摩擦しその際に生じる摩擦熱で該筆跡を熱変色可能な低摩耗性の弾性材料からなる摩擦部を、前記環状部より後方に突出する軸筒の外面に設けた請求項１記載の出没式筆記具。
【請求項３】
前記基部より前方に軸方向に延びるクリップ部を連設した請求項１または２記載の出没式筆記具。
【発明の詳細な説明】
【技術分野】
【０００１】
本発明は、出没式筆記具に関する。詳細には、軸筒内に筆記体を軸方向に移動可能に収容し、前記軸筒の側壁外面より径方向外方に操作部を突出させ、前記操作部を前方にスライド操作することによって、前記筆記体をペン先没入状態からペン先突出状態にさせる出没式筆記具（サイドスライド式の出没式筆記具）に関する。
【背景技術】
【０００２】
特許文献１には、軸筒の側部に設けた操作板によってシャープペンの芯またはボールペンリヒールの芯先を繰り出し自在とした筆記具が記載されている。
【０００３】
前記特許文献１の多芯筆記具は、操作板を操作する前に、操作板の位置を探し、操作板を操作しやすい位置に回転させて持ち替える必要があり、迅速にペン先突出操作に移行できないおそれがある。
【先行技術文献】
【特許文献】
【０００４】
【特許文献１】実公平４−７９９８号公報
【発明の概要】
【発明が解決しようとする課題】
【０００５】
本発明は、前記従来の問題点を解決するものであって、ペン先突出操作前に軸筒を把持した後、迅速にペン先突出操作に移行できる出没式筆記具を提供しようとするものである。
尚、本発明において、軸筒において、「前」とは前端孔側を指し、「後」とはその反対側を指し、筆記体において、「前」とはペン先側を指し、「後」とはその反対側を指す。本発明において、「ペン没入状態」とは、ペン先が軸筒内に没入された状態をいい、「ペン先突出状態」とはペン先が軸筒の前端孔より外部に突出した状態をいう。
【課題を解決するための手段】
【０００６】
本願の第１の発明は、軸筒２内に筆記体３を軸方向に移動可能に収容し、前記軸筒２の側壁外面より径方向外方に操作部４を突出させ、前記操作部４を軸方向に移動可能に設け、前記操作部４を前方にスライド操作することによって前記筆記体３をペン先没入状態からペン先突出状態にさせる出没式筆記具であって、前記操作部４が、少なくとも、軸筒２側壁の軸方向に延びるスライド孔２２より径方向外方に突出される基部４１と、該基部４１に連設され且つ軸筒２側壁外面を包囲する環状部４２とからなり、前記環状部４２内を前記軸筒２が軸方向に貫通し、前記軸筒２の後端部が前記環状部４２より後方に突出され、前記基部４１が前記スライド孔２２に沿って軸方向に移動可能であるとともに、前記環状部４２が軸筒２側壁外面に沿って軸方向に移動可能であり、前記基部４１、前記環状部４２の何れかを前方に押圧操作することによって、筆記体３のペン先３１を軸筒２の前端孔２１から突出可能に構成したことを要件とする。
【０００７】
本願の第１の発明の直液式筆記具は、前記操作部４が、少なくとも、軸筒２側壁の軸方向に延びるスライド孔２２より径方向外方に突出される基部４１と、該基部４１に連設され且つ軸筒２側壁外面を包囲する環状部４２とからなり、前記環状部４２を前記軸筒２が軸方向に貫通し、前記軸筒２の後端部が前記環状部４２より後方に突出され、前記基部４１が前記スライド孔２２に沿って軸方向に移動可能であるとともに、前記環状部４２が軸筒２側壁外面に沿って軸方向に移動可能であり、前記基部４１、前記環状部４２の何れかを前方に押圧操作することによって、筆記体３のペン先３１を軸筒２の前端孔２１から突出可能に構成したことにより、操作部４を操作する前に、軸筒２を周方向に回転させて持ち替える必要がなく、ペン先突出操作前に軸筒２を把持した後、迅速にペン先突出操作に移行できる。尚、本発明の出没機構は、少なくとも、ペン先突出操作（ペン先を没入状態から突出状態にさせる操作）が、操作部を前方にスライドさせる構造であり、ペン先没入操作（ペン先を突出状態から没入状態にさせる操作）は、ペン先突出操作同様、操作部を前方にスライドさせる構造であってもよいし、それ以外でもよい。
【０００８】
本願の第２の発明は、前記第１の発明の出没式筆記具１において、前記筆記体３の内部に熱変色性インキを収容し、該筆記体３のペン先３１より熱変色性インキを吐出可能に構成し、前記熱変色性インキの筆跡を摩擦しその際に生じる摩擦熱で該筆跡を熱変色可能な低摩耗性の弾性材料からなる摩擦部７を、前記環状部４２より後方に突出する軸筒２の外面に設けたことを要件とする。
【０００９】
前記第２の発明の出没式筆記具１は、前記筆記体３の内部に熱変色性インキを収容し、該筆記体３のペン先３１より熱変色性インキを吐出可能に構成し、前記熱変色性インキの筆跡を摩擦しその際に生じる摩擦熱で該筆跡を熱変色可能な低摩耗性の弾性材料からなる摩擦部７を、前記環状部４２より後方に突出する軸筒２の外面に設けたことにより、摩擦部７を用いた摩擦操作時、環状部４２を指で把持することで、安定した摩擦操作が可能となる。
【００１０】
本願の第３の発明は、前記第１または第２の発明の出没式筆記具１において、前記基部４１より前方に軸方向に延びるクリップ部４４を連設したことを要件とする。
【００１１】
前記第３の発明の出没式筆記具１は、前記基部４１より前方に軸方向に延びるクリップ部４４を連設したことにより、ポケット等にクリップ部４４を差した状態において、操作部４の基部４１及び環状部４２がポケット等の外部に露出されており、前記操作部４の基部４１や環状部４２を摘むことにより、ポケット等から筆記具を容易に取り出すことができる。
【発明の効果】
【００１２】
本発明の出没式筆記具によれば、ペン先突出操作前に軸筒を把持した後、迅速にペン先突出操作に移行できる。
【図面の簡単な説明】
【００１３】
【図１】本発明の第１の実施の形態のペン先没入状態を示す側面図である。
【図２】図１の正面図である。
【図３】図１のペン先突出状態を示す側面図である。
【図４】図１の縦断面図である。
【図５】図４の Ａ−Ａ線拡大断面図である。
【図６】図３の縦断面図である。
【図７】熱変色性インキの変色挙動を示す説明図である。
【図８】本発明の第２の実施の形態のペン先没入状態を示す側面図である。
【図９】図８の正面図である。
【図１０】図８のペン先突出状態を示す側面図である。
【図１１】図８の縦断面図である。
【図１２】図１１のＢ−Ｂ線拡大断面図である。
【図１３】図１０の縦断面図である。
【発明を実施するための形態】
【００１４】
＜第１の実施の形態＞
図１乃至図７に本発明の第１の実施の形態を示す。
本実施の形態の出没式筆記具１は、軸筒２と、該軸筒２内に収容される筆記体３と、該筆記体３のペン先３１を軸筒２の前端孔２１より出没自在にさせる出没機構とを備える。
【００１５】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００１６】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００１７】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００１８】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００１９】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００２０】
・操作部
前記操作部４は、軸筒２側壁の軸方向に延びるスライド孔２２より径方向外方に突出される基部４１と、該基部４１に連設され且つ軸筒２側壁外面を包囲する環状部４２とを備える。また、前記操作部４は、前記基部４１より連設され且つ軸筒２内に軸方向に移動可能に収容される軸部４３と、前記基部４１より前方に連設されるクリップ部４４とを備える。前記クリップ部４４は、ポケット等の衣服を挟持可能である。前記操作部４は、合成樹脂（例えば、ポリカーボネート樹脂）の成形体により得られる。前記クリップ部４４の裏面（内面）に玉部４５が突設される。前記基部４１と前記環状部４２、前記基部４１と前記軸部４３、前記基部４１と前記クリップ部４４、前記クリップ部４４と前記玉部４５のそれぞれは、一部材により一体に形成されるかまたは二分材の組立により形成される。
【００２１】
前記環状部４２内を前記軸筒２が軸方向に貫通し、前記軸筒２の後端部が前記環状部４２より後方に突出される。前記基部４１が前記スライド孔２２に沿って軸方向に移動可能であるとともに、前記環状部４２が軸筒２側壁外面に沿って軸方向に移動可能である。前記基部４１または前記環状部４２を前方に押圧操作することによって、筆記体３のペン先３１が軸筒２の前端孔２１から出没自在に構成される。
【００２２】
・ペン先の出没
ペン先没入状態から操作部４の基部４１または環状部４２を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００２３】
ペン先突出状態から操作部４の基部４１または環状部４２を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００２４】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２２の全体もしくは後軸２ｃの全体が弾性材料により一体に形成される構成が挙げられる。
【００２５】
・熱変色性インキ
本実施の形態において、前記熱変色性インキ３３は、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００２７】
本実施の形態では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２８】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００２９】
本実施の形態の出没式筆記具１は、前記操作部４が、少なくとも、軸筒２側壁の軸方向に延びるスライド孔２２より径方向外方に突出される基部４１と、該基部４１に連設され且つ軸筒２側壁外面を包囲する環状部４２とからなり、前記環状部４２を前記軸筒２が軸方向に貫通し、前記軸筒２の後端部が前記環状部４２より後方に突出され、前記基部４１が前記スライド孔２２に沿って軸方向に移動可能であるとともに、前記環状部４２が軸筒２側壁外面に沿って軸方向に移動可能であり、前記基部４１、前記環状部４２の何れかを前方に押圧操作することによって、筆記体３のペン先３１を軸筒２の前端孔２１から出没自在に構成したことにより、操作部４を操作する前に、軸筒２を周方向に回転させて持ち替える必要がなく、ペン先出没操作前に軸筒２を把持した後、迅速にペン先出没操作に移行できる。
【００３０】
本実施の形態の出没式筆記具１は、前記筆記体３の内部に熱変色性インキ３３を収容し、該筆記体３のペン先３１より熱変色性インキ３３を吐出可能に構成し、前記熱変色性インキ３３の筆跡を摩擦しその際に生じる摩擦熱で該筆跡を熱変色可能な低摩耗性の弾性材料からなる摩擦部７を、前記環状部４２より後方に突出する軸筒２の外面に設けたことにより、摩擦部７を用いた摩擦操作時、環状部４２を指で把持することで、安定した摩擦操作が可能となる。
【００３１】
本実施の形態の出没式筆記具１は、前記基部４１より前方に軸方向に延びるクリップ部４４を連設したことにより、ポケット等にクリップ部４４を差した状態において、操作部４の基部４１及び環状部４２がポケット等の外部に露出されており、前記操作部４の基部４１や環状部４２を摘むことにより、ポケット等から筆記具を容易に取り出すことができる。
【００３２】
＜第２の実施の形態＞
図８乃至図１２に本発明の第２の実施の形態を示す。
本実施の形態の出没式筆記具１は、軸筒２と、該軸筒２内に収容される筆記体３と、該筆記体３のペン先３１を軸筒２の前端孔２１より出没自在にさせる出没機構とを備える。
【００３３】
・筆記体
前記筆記体３は、ペン先３１と、該ペン先３１が前端開口部に圧入固着されたインキ収容管３２と、該インキ収容管３２内に充填される熱変色性インキ３３と、該熱変色性インキ３３の後端に充填され且つ該熱変色性インキ３３の消費に伴い前進する追従体３４（例えば高粘度流体）とからなる。
【００３４】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００３５】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びるスライド孔２２が形成される。前記軸筒２の後端（即ち後軸２ｃの後端）には、取付孔２３が軸方向に貫設される。前記取付孔２３に弾性材料からなる摩擦部７が圧入嵌合される。前記摩擦部７は、前記操作部４の軸方向の移動に連動せず、後軸２ｃ（軸筒２）の後端外面に固定される。前記摩擦部７は、操作部４と独立して設けられる。
【００３６】
・出没機構
前記出没機構は、回転カム機構を用いたサイドスライド式出没機構である。前記出没機構は、中間軸２ｂ内面に形成されたカム部と、該カム部に係合し且つ筆記体３の後端に当接する回転部材５と、該回転部材５に係合し且つスライド孔２２より径方向外方に突出する操作部４と、軸筒２内に収容され且つ筆記体３を後方に付勢する弾発体６（例えば圧縮コイルスプリング）とからなる。本実施の形態の出没機構は、ペン先突出操作及びペン先没入操作のいずれもが操作部４を前方にスライド操作するダブルノック式である。前記回転部材５は合成樹脂（例えばポリアセタール樹脂）の成形体により得られる。
【００３７】
前記カム部は、前方に突出する鋸歯状の複数のカム歯と、該カム歯間に形成される、軸方向に延びる複数のカム溝とを備える。前記回転部材５は、その外面に軸方向に延びる複数本（例えば４本）の突条を備え、該突条が、カム部のカム歯及びカム部のカム溝と係合される。前記操作部４の軸部４３の前端には、回転部材５の突条の後端と係合するカム歯が一体または別部材の取り付けにより形成される。
【００３８】
・操作部
前記操作部４は、軸筒２側壁の軸方向に延びるスライド孔２２より径方向外方に突出される基部４１と、該基部４１に連設され且つ軸筒２側壁外面を包囲する環状部４２とを備える。また、前記操作部４は、前記基部４１より連設され且つ軸筒２内に軸方向に移動可能に収容される軸部４３を備える。前記操作部４は、合成樹脂（例えば、ポリカーボネート樹脂）の成形体により得られる。前記基部４１と前記環状部４２、前記基部４１と前記軸部４３のそれぞれは、一部材により一体に形成されるかまたは二分材の組立により形成される。
【００３９】
前記環状部４２内を前記軸筒２が軸方向に貫通し、前記軸筒２の後端部が前記環状部４２より後方に突出される。前記基部４１が前記スライド孔２２に沿って軸方向に移動可能であるとともに、前記環状部４２が軸筒２側壁外面に沿って軸方向に移動可能である。前記基部４１または前記環状部４２を前方に押圧操作することによって、筆記体３のペン先３１が軸筒２の前端孔２１から出没自在に構成される。
【００４０】
・ペン先の出没
ペン先没入状態から操作部４の基部４１または環状部４２を前方に、弾発体６による後方付勢に抗してスライド操作すると、操作部４の軸部４３のカム歯によって回転部材５が前方に押圧され、前記回転部材５の突条がカム溝に沿って前方に移動するに伴って、前記回転部材５が筆記体３の後端を前方に押圧し、ペン先３１が前端孔２１より外部に突出される。このとき、前記軸部４３のカム歯と前記回転部材５の突条との当接によって回転部材５がカム部に対して一定角度だけ回転する。それにより、前記回転部材５の突条がカム部のカム歯に係合され、ペン先突出状態が維持される。
【００４１】
ペン先突出状態から操作部４の基部４１または環状部４２を前方にスライド操作すると、操作部４の軸部４３が回転部材５を前方に押圧し、前記軸部４３のカム歯と前記回転部材５の突条との当接によって回転部材５がカム部に対して一定角度だけ回転する。それによって、前記突条とカム部のカム歯との係合状態が解除され、弾発体６による後方付勢により、前記突条がカム部のカム溝に沿って後方に移動する。前記回転部材５が後方に移動することに伴って、筆記体３が後方に移動し、ペン先没入状態となる。
【００４２】
・摩擦部
本実施の形態において、前記摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部７は、軸筒２の後端部外面に少なくとも設ければよく、例えば、軸筒２の後端部外面もしくは後軸２ｃの後端部外面に弾性材料よりなる摩擦部７を圧入、係合、螺合、嵌合、接着、２色成形等によって固着する構成、または軸筒２の全体もしくは後軸２ｃの全体が弾性材料により一体に形成される構成が挙げられる。
【００４３】
・熱変色性インキ
本実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００４４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００４５】
本実施の形態では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００４６】
本実施の形態では、前記熱変色性インキの摩擦部７の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部７による摩擦熱で容易に変色することができる。
【００４７】
本実施の形態の出没式筆記具１は、前記操作部４が、少なくとも、軸筒２側壁の軸方向に延びるスライド孔２２より径方向外方に突出される基部４１と、該基部４１に連設され且つ軸筒２側壁外面を包囲する環状部４２とからなり、前記環状部４２を前記軸筒２が軸方向に貫通し、前記軸筒２の後端部が前記環状部４２より後方に突出され、前記基部４１が前記スライド孔２２に沿って軸方向に移動可能であるとともに、前記環状部４２が軸筒２側壁外面に沿って軸方向に移動可能であり、前記基部４１、前記環状部４２の何れかを前方に押圧操作することによって、筆記体３のペン先３１を軸筒２の前端孔２１から出没自在に構成したことにより、操作部４を操作する前に、軸筒２を周方向に回転させて持ち替える必要がなく、ペン先出没操作前に軸筒２を把持した後、迅速にペン先出没操作に移行できる。
【００４８】
本実施の形態の出没式筆記具１は、前記筆記体３の内部に熱変色性インキ３３を収容し、該筆記体３のペン先３１より熱変色性インキ３３を吐出可能に構成し、前記熱変色性インキ３３の筆跡を摩擦しその際に生じる摩擦熱で該筆跡を熱変色可能な低摩耗性の弾性材料からなる摩擦部７を、前記環状部４２より後方に突出する軸筒２の外面に設けたことにより、摩擦部７を用いた摩擦操作時、環状部４２を指で把持することで、安定した摩擦操作が可能となる。
【符号の説明】
【００４９】
１  出没式筆記具
２  軸筒
２ａ  前軸
２ｂ  中間軸
２ｃ  後軸
２１  前端孔
２２  スライド孔
２３  取付孔
３  筆記体
３１  ペン先
３２  インキ収容管
３３  熱変色性インキ
３４  追従体
４  操作部
４１  基部
４２  環状部
４３  軸部
４４  クリップ部
４５  玉部
５  回転部材
６  弾発体
７  摩擦部
【図１】
2015006733.tif 000003
【図２】
2015006733.tif 000004
【図３】
2015006733.tif 000005
【図４】
2015006733.tif 000006
【図５】
2015006733.tif 000007
【図６】
2015006733.tif 000008
【図７】
2015006733.tif 000009
【図８】
2015006733.tif 000010
【図９】
2015006733.tif 000011
【図１０】
2015006733.tif 000012
【図１１】
2015006733.tif 000013
【図１２】
2015006733.tif 000014
【図１３】
2015006733.tif 000015